(57)【要約】【課題】より確実に焼き増しプリントが可能な写真撮影装置及び写真撮影システムを提供する。【解決手段】ＣＰＵに、顧客の生体情報を取得させる生体情報取得プログラム４Ｄと、画像データを保存する指示が入力された場合に、当該生体情報を用いて、識別情報を生成させる識別情報生成プログラム４Ｅと、識別情報と画像データとを関連づけて画像データベース４Ａに記憶させる保存プログラム４Ｆと、画像データベース４Ａに記憶された画像データに基づく画像を記録媒体にプリントする指示が入力された場合に、顧客の認証用生体情報を取得させる認証用生体情報取得プログラム４Ｇと、認証用生体情報と、識別情報の中の生体情報とを照合して、一致した生体情報に対応する画像データを検索させる検索プログラム４Ｈと、検索された画像データに基づく画像をプリンタにより記録媒体にプリントさせる焼き増しプリントプログラム４Ｉと、を備えた。【選択図】図３
2007288416.tif 000002
【特許請求の範囲】
【請求項１】
顧客の画像データに基づく画像を記録媒体にプリントするプリント手段を備える写真撮影装置において、
前記画像データを保存する指示を入力するための第１指示手段と、
前記顧客の所定の生体情報を取得する生体情報取得手段と、
前記第１指示手段により前記画像データを保存する指示が入力された場合に、前記生体情報取得手段により取得された生体情報を用いて、前記画像データを識別するための識別情報を生成する識別情報生成手段と、
前記識別情報と前記画像データとを関連づけて記憶手段に記憶させる記憶制御手段と、
前記記憶手段に記憶された前記画像データに基づく画像を記録媒体にプリントする指示を入力するための第２指示手段と、
前記第２指示手段により前記記憶手段に記憶された前記画像データに基づく画像を記録媒体にプリントする指示が入力された場合に、顧客の認証用生体情報を取得する認証用生体情報取得手段と、
前記認証用生体情報取得手段により取得された認証用生体情報と、前記記憶手段に記憶された識別情報の中の生体情報とを照合して、一致した生体情報に対応する画像データを検索する検索手段と、
前記検索手段により検索された画像データに基づく画像を前記プリント手段により記録媒体にプリントさせる記憶画像プリント制御手段と、
を備えることを特徴とする写真撮影装置。
【請求項２】
顔を含む顧客の画像データに基づく画像を記録媒体にプリントするプリント手段を備える写真撮影装置において、
前記画像データを保存する指示を入力するための第１指示手段と、
前記第１指示手段により前記画像データを保存する指示が入力された場合に、前記画像データに含まれる顔画像データにおける所定の特徴点を解析して生体情報を取得する生体情報取得手段と、
前記生体情報取得手段により取得された生体情報を用いて、前記画像データを識別するための識別情報を生成する識別情報生成手段と、
前記識別情報と前記画像データとを関連づけて記憶手段に記憶させる記憶制御手段と、
前記記憶手段に記憶された前記画像データに基づく画像を記録媒体にプリントする指示を入力するための第２指示手段と、
前記第２指示手段により前記記憶手段に記憶された前記画像データに基づく画像を記録媒体にプリントする指示が入力された場合に、顧客の顔を撮影し、撮影により得られた撮影画像データにおける前記所定の特徴点を解析して認証用生体情報を取得する認証用生体情報取得手段と、
前記認証用生体情報取得手段により取得された認証用生体情報と、前記記憶手段に記憶された識別情報の中の生体情報とを照合して、一致した生体情報に対応する画像データを検索する検索手段と、
前記検索手段により検索された画像データに基づく画像を前記プリント手段により記録媒体にプリントさせる記憶画像プリント制御手段と、
を備えることを特徴とする写真撮影装置。
【請求項３】
前記顧客の所定の顧客情報を入力するための入力手段を備え、
前記記憶制御手段は、前記識別情報と前記入力手段により入力された前記顧客情報と前記画像データとを関連づけて前記記憶手段に記憶させることを特徴とする請求項１又は２に記載の写真撮影装置。
【請求項４】
前記識別情報生成手段は、前記画像データを識別するための識別番号を生成し、
前記識別情報は、前記生体情報と前記識別番号とを有し、
前記写真撮影装置は、前記識別番号を入力するための識別番号入力手段を備え、
前記認証用生体情報取得手段は、前記識別番号入力手段により前記識別番号が入力されなかった場合に実行することを特徴とする請求項１〜３の何れか一項に記載の写真撮影装置。
【請求項５】
サーバと、当該サーバと通信回線を介して接続され、顧客の画像データに基づく画像を記録媒体にプリントするプリント手段を備える写真撮影装置と、を備える写真撮影システムにおいて、
前記写真撮影装置は、
前記画像データを保存する指示を入力するための第１指示手段と、
前記顧客の所定の生体情報を取得する生体情報取得手段と、
前記第１指示手段により前記画像データを保存する指示が入力された場合に、前記生体情報取得手段により取得された生体情報を用いて、前記画像データを識別するための識別情報を生成する識別情報生成手段と、
前記画像データと前記識別情報とを前記サーバに送信する第１送信手段と、
前記サーバに送信された前記画像データに基づく画像を記録媒体にプリントする指示を入力するための指示手段と、
前記指示手段により前記サーバに送信された前記画像データに基づく画像を記録媒体にプリントする指示が入力された場合に、顧客の認証用生体情報を取得する認証用生体情報取得手段と、
前記認証用生体情報取得手段により取得された認証用生体情報を前記サーバに送信する第２送信手段と、
前記サーバから送信された画像データに基づく画像を前記プリント手段により記録媒体にプリントさせる受信画像プリント制御手段と、
を備え、
前記サーバは、
前記第１送信手段により送信された前記識別情報と前記画像データとを関連づけて記憶手段に記憶させる記憶制御手段と、
前記第２送信手段により送信された認証用生体情報と、前記記憶手段に記憶された識別情報の中の生体情報とを照合して、一致した生体情報に対応する画像データを検索する検索手段と、
前記検索手段により検索された画像データを前記写真撮影装置に送信する第３送信手段と、
を備えることを特徴とする写真撮影システム。
【請求項６】
サーバと、当該サーバと通信回線を介して接続され、顔を含む顧客の画像データに基づく画像を記録媒体にプリントするプリント手段を備える写真撮影装置と、を備える写真撮影システムにおいて、
前記写真撮影装置は、
前記画像データを保存する指示を入力するための第１指示手段と、
前記第１指示手段により前記画像データを保存する指示が入力された場合に、前記画像データに含まれる顔画像データにおける所定の特徴点を解析して生体情報を取得する生体情報取得手段と、
前記生体情報取得手段により取得された生体情報を用いて、前記画像データを識別するための識別情報を生成する識別情報生成手段と、
前記画像データと前記識別情報とを前記サーバに送信する第１送信手段と、
前記サーバに送信された前記画像データに基づく画像を記録媒体にプリントする指示を入力するための指示手段と、
前記指示手段により前記サーバに送信された前記画像データに基づく画像を記録媒体にプリントする指示が入力された場合に、顧客の顔を撮影し、撮影により得られた撮影画像データにおける前記所定の特徴点を解析して認証用生体情報を取得する認証用生体情報取得手段と、
前記認証用生体情報取得手段により取得された認証用生体情報を前記サーバに送信する第２送信手段と、
前記サーバから送信された画像データに基づく画像を前記プリント手段により記録媒体にプリントさせる受信画像プリント制御手段と、
を備え、
前記サーバは、
前記第１送信手段により送信された前記識別情報と前記画像データとを関連づけて記憶手段に記憶させる記憶制御手段と、
前記第２送信手段により送信された認証用生体情報と、前記記憶手段に記憶された識別情報の中の生体情報とを照合して、一致した生体情報に対応する画像データを検索する検索手段と、
前記検索手段により検索された画像データを前記写真撮影装置に送信する第３送信手段と、
を備えることを特徴とする写真撮影システム。
【請求項７】
前記写真撮影装置は、前記顧客の所定の顧客情報を入力するための入力手段を備え、
前記記憶制御手段は、前記識別情報と前記入力手段により入力された前記顧客情報と前記画像データとを関連づけて前記記憶手段に記憶させることを特徴とする請求項５又は６に記載の写真撮影システム。
【請求項８】
前記識別情報生成手段は、前記画像データを識別するための識別番号を生成し、
前記識別情報は、前記生体情報と前記識別番号とを有し、
前記写真撮影装置は、前記識別番号を入力するための識別番号入力手段を備え、
前記認証用生体情報取得手段は、前記識別番号入力手段により前記識別番号が入力されなかった場合に実行することを特徴とする請求項５〜７の何れか一項に記載の写真撮影システム。
【発明の詳細な説明】
【技術分野】
【０００１】
本発明は、写真撮影装置及び写真撮影システムにかかるものである。
【背景技術】
【０００２】
従来、免許証やパスポート，履歴書等に貼付するための証明写真等を撮影するためのボックス型の写真撮影装置が知られている。そして、このうような写真撮影装置において、一度撮影した画像データを識別情報と関連づけて記憶し、顧客が当該識別情報を入力することにより、当該画像データに基づく画像を焼き増しプリントするものも知られている（例えば、特許文献１）。
【特許文献１】特開２００３−０９８５９０号公報
【発明の開示】
【発明が解決しようとする課題】
【０００３】
しかしながら、顧客が識別情報を忘れてしまったり、識別情報の記録を無くしてしまったりすると、焼き増しプリントを行うことができなくなってしまう。特許文献１の写真撮影装置では、識別情報は、数字やアルファベット等の記号，バーコード，磁気コード等であり、識別情報が数字やアルファベット等の記号の場合には覚えにくく、識別情報がバーコード，磁気コードの場合には、無くしてしまう可能性があり、上記問題を解決することができない。
【０００４】
本発明の課題は、より確実に焼き増しプリントが可能な写真撮影装置及び写真撮影システムを提供することである。
【課題を解決するための手段】
【０００５】
請求項１に記載の発明は、顧客の画像データに基づく画像を記録媒体にプリントするプリント手段を備える写真撮影装置において、
前記画像データを保存する指示を入力するための第１指示手段と、
前記顧客の所定の生体情報を取得する生体情報取得手段と、
前記第１指示手段により前記画像データを保存する指示が入力された場合に、前記生体情報取得手段により取得された生体情報を用いて、前記画像データを識別するための識別情報を生成する識別情報生成手段と、
前記識別情報と前記画像データとを関連づけて記憶手段に記憶させる記憶制御手段と、
前記記憶手段に記憶された前記画像データに基づく画像を記録媒体にプリントする指示を入力するための第２指示手段と、
前記第２指示手段により前記記憶手段に記憶された前記画像データに基づく画像を記録媒体にプリントする指示が入力された場合に、顧客の認証用生体情報を取得する認証用生体情報取得手段と、
前記認証用生体情報取得手段により取得された認証用生体情報と、前記記憶手段に記憶された識別情報の中の生体情報とを照合して、一致した生体情報に対応する画像データを検索する検索手段と、
前記検索手段により検索された画像データに基づく画像を前記プリント手段により記録媒体にプリントさせる記憶画像プリント制御手段と、
を備えることを特徴としている。
【０００６】
請求項２に記載の発明は、顔を含む顧客の画像データに基づく画像を記録媒体にプリントするプリント手段を備える写真撮影装置において、
前記画像データを保存する指示を入力するための第１指示手段と、
前記第１指示手段により前記画像データを保存する指示が入力された場合に、前記画像データに含まれる顔画像データにおける所定の特徴点を解析して生体情報を取得する生体情報取得手段と、
前記生体情報取得手段により取得された生体情報を用いて、前記画像データを識別するための識別情報を生成する識別情報生成手段と、
前記識別情報と前記画像データとを関連づけて記憶手段に記憶させる記憶制御手段と、
前記記憶手段に記憶された前記画像データに基づく画像を記録媒体にプリントする指示を入力するための第２指示手段と、
前記第２指示手段により前記記憶手段に記憶された前記画像データに基づく画像を記録媒体にプリントする指示が入力された場合に、顧客の顔を撮影し、撮影により得られた撮影画像データにおける前記所定の特徴点を解析して認証用生体情報を取得する認証用生体情報取得手段と、
前記認証用生体情報取得手段により取得された認証用生体情報と、前記記憶手段に記憶された識別情報の中の生体情報とを照合して、一致した生体情報に対応する画像データを検索する検索手段と、
前記検索手段により検索された画像データに基づく画像を前記プリント手段により記録媒体にプリントさせる記憶画像プリント制御手段と、
を備えることを特徴としている。
【０００７】
請求項３に記載の発明は、請求項１又は２に記載の写真撮影装置において、
前記顧客の所定の顧客情報を入力するための入力手段を備え、
前記記憶制御手段は、前記識別情報と前記入力手段により入力された前記顧客情報と前記画像データとを関連づけて前記記憶手段に記憶させることを特徴としている。
【０００８】
請求項４に記載の発明は、請求項１〜３の何れか一項に記載の写真撮影装置において、
前記識別情報生成手段は、前記画像データを識別するための識別番号を生成し、
前記識別情報は、前記生体情報と前記識別番号とを有し、
前記写真撮影装置は、前記識別番号を入力するための識別番号入力手段を備え、
前記認証用生体情報取得手段は、前記識別番号入力手段により前記識別番号が入力されなかった場合に実行することを特徴としている。
【０００９】
請求項５に記載の発明は、サーバと、当該サーバと通信回線を介して接続され、顧客の画像データに基づく画像を記録媒体にプリントするプリント手段を備える写真撮影装置と、を備える写真撮影システムにおいて、
前記写真撮影装置は、
前記画像データを保存する指示を入力するための第１指示手段と、
前記顧客の所定の生体情報を取得する生体情報取得手段と、
前記第１指示手段により前記画像データを保存する指示が入力された場合に、前記生体情報取得手段により取得された生体情報を用いて、前記画像データを識別するための識別情報を生成する識別情報生成手段と、
前記画像データと前記識別情報とを前記サーバに送信する第１送信手段と、
前記サーバに送信された前記画像データに基づく画像を記録媒体にプリントする指示を入力するための指示手段と、
前記指示手段により前記サーバに送信された前記画像データに基づく画像を記録媒体にプリントする指示が入力された場合に、顧客の認証用生体情報を取得する認証用生体情報取得手段と、
前記認証用生体情報取得手段により取得された認証用生体情報を前記サーバに送信する第２送信手段と、
前記サーバから送信された画像データに基づく画像を前記プリント手段により記録媒体にプリントさせる受信画像プリント制御手段と、
を備え、
前記サーバは、
前記第１送信手段により送信された前記識別情報と前記画像データとを関連づけて記憶手段に記憶させる記憶制御手段と、
前記第２送信手段により送信された認証用生体情報と、前記記憶手段に記憶された識別情報の中の生体情報とを照合して、一致した生体情報に対応する画像データを検索する検索手段と、
前記検索手段により検索された画像データを前記写真撮影装置に送信する第３送信手段と、
を備えることを特徴としている。
【００１０】
請求項６に記載の発明は、サーバと、当該サーバと通信回線を介して接続され、顔を含む顧客の画像データに基づく画像を記録媒体にプリントするプリント手段を備える写真撮影装置と、を備える写真撮影システムにおいて、
前記写真撮影装置は、
前記画像データを保存する指示を入力するための第１指示手段と、
前記第１指示手段により前記画像データを保存する指示が入力された場合に、前記画像データに含まれる顔画像データにおける所定の特徴点を解析して生体情報を取得する生体情報取得手段と、
前記生体情報取得手段により取得された生体情報を用いて、前記画像データを識別するための識別情報を生成する識別情報生成手段と、
前記画像データと前記識別情報とを前記サーバに送信する第１送信手段と、
前記サーバに送信された前記画像データに基づく画像を記録媒体にプリントする指示を入力するための指示手段と、
前記指示手段により前記サーバに送信された前記画像データに基づく画像を記録媒体にプリントする指示が入力された場合に、顧客の顔を撮影し、撮影により得られた撮影画像データにおける前記所定の特徴点を解析して認証用生体情報を取得する認証用生体情報取得手段と、
前記認証用生体情報取得手段により取得された認証用生体情報を前記サーバに送信する第２送信手段と、
前記サーバから送信された画像データに基づく画像を前記プリント手段により記録媒体にプリントさせる受信画像プリント制御手段と、
を備え、
前記サーバは、
前記第１送信手段により送信された前記識別情報と前記画像データとを関連づけて記憶手段に記憶させる記憶制御手段と、
前記第２送信手段により送信された認証用生体情報と、前記記憶手段に記憶された識別情報の中の生体情報とを照合して、一致した生体情報に対応する画像データを検索する検索手段と、
前記検索手段により検索された画像データを前記写真撮影装置に送信する第３送信手段と、
を備えることを特徴としている。
【００１１】
請求項７に記載の発明は、請求項５又は６に記載の写真撮影システムにおいて、
前記写真撮影装置は、前記顧客の所定の顧客情報を入力するための入力手段を備え、
前記記憶制御手段は、前記識別情報と前記入力手段により入力された前記顧客情報と前記画像データとを関連づけて前記記憶手段に記憶させることを特徴としている。
【００１２】
請求項８に記載の発明は、請求項５〜７の何れか一項に記載の写真撮影システムにおいて、
前記識別情報生成手段は、前記画像データを識別するための識別番号を生成し、
前記識別情報は、前記生体情報と前記識別番号とを有し、
前記写真撮影装置は、前記識別番号を入力するための識別番号入力手段を備え、
前記認証用生体情報取得手段は、前記識別番号入力手段により前記識別番号が入力されなかった場合に実行することを特徴としている。
【発明の効果】
【００１３】
請求項１に記載の発明によれば、画像データを識別するための識別情報が顧客の所定の生体情報を用いて生成され、焼き増し時には、顧客から取得した認証用生体情報と識別情報の中の生体情報とを照合するだけで当該画像データを検索することができることとなって、顧客が識別情報を記憶又は保持しなくても保存した画像データに基づく画像を焼き増しプリントすることができ、より確実に焼き増しプリントをすることができる。
【００１４】
請求項２に記載の発明によれば、画像データを識別するための識別情報が当該画像データの顧客の顔画像データから取得された生体情報を用いて生成され、焼き増し時には、顧客の顔の撮影により得られた撮影画像データから取得された認証用生体情報と識別情報の中の生体情報とを照合するだけで当該画像データを検索することができることとなって、顧客が識別情報を記憶又は保持しなくても保存した画像データに基づく画像を焼き増しプリントすることができ、より確実に焼き増しプリントをすることができる。
また、顧客の画像データの顔画像データから顧客の生体情報を取得するので、新たに指紋等を取得する装置等を備えずとも、顧客の生体情報を取得することができ、コストを抑えることができる。
【００１５】
請求項３に記載の発明によれば、請求項１又は２に記載の発明と同様の効果が得られることは勿論のこと、特に、認証用生体情報と識別情報の中の生体情報との照合により、複数の画像データが検索されてしまっても、所定の顧客情報により画像データを最終的に特定することができ、さらに確実に焼き増しプリントをすることができる。
【００１６】
請求項４に記載の発明によれば、請求項１〜３の何れか一項に記載の発明と同様の効果が得られることは勿論のこと、特に、顧客が識別番号を記憶又は保持している場合には、認識用生体情報の取得が行われずに画像データが検索されるので、より迅速に画像データの検索ができることとなって、より迅速に焼き増しプリントをすることができる。
【００１７】
請求項５に記載の発明によれば、画像データを識別するための識別情報が顧客の所定の生体情報を用いて生成され、焼き増し時には、顧客から取得した認証用生体情報と識別情報の中の生体情報とを照合するだけで当該画像データを検索することができることとなって、顧客が識別情報を記憶又は保持しなくても保存した画像データに基づく画像を焼き増しプリントすることができ、より確実に焼き増しプリントをすることができる。
【００１８】
請求項６に記載の発明によれば、画像データを識別するための識別情報が当該画像データの顧客の顔画像データから取得された生体情報を用いて生成され、焼き増し時には、顧客の顔の撮影により得られた撮影画像データから取得された認証用生体情報と識別情報の中の生体情報とを照合するだけで当該画像データを検索することができることとなって、顧客が識別情報を記憶又は保持しなくても保存した画像データに基づく画像を焼き増しプリントすることができ、より確実に焼き増しプリントをすることができる。
また、顧客の画像データの顔画像データから顧客の生体情報を取得するので、新たに指紋等を取得する装置等を備えずとも、顧客の生体情報を取得することができ、コストを抑えることができる。
【００１９】
請求項７に記載の発明によれば、請求項５又は６に記載の発明と同様の効果が得られることは勿論のこと、特に、認証用生体情報と識別情報の中の生体情報との照合により、複数の画像データが検索されてしまっても、所定の顧客情報により画像データを最終的に特定することができ、さらに確実に焼き増しプリントをすることができる。
【００２０】
請求項８に記載の発明によれば、請求項５〜７の何れか一項に記載の発明と同様の効果が得られることは勿論のこと、特に、顧客が識別番号を記憶又は保持している場合には、認識用生体情報の取得が行われずに画像データが検索されるので、より迅速に画像データの検索ができることとなって、より迅速に焼き増しプリントをすることができる。
【発明を実施するための最良の形態】
【００２１】
以下、図面を参照して本発明の最良の形態について詳細に説明する。ただし、発明の範囲は、図示例に限定されない。また、限定的な表現をする場合があるが、これに限られるものではない。
【００２２】
（第１の実施形態）
本発明の第１の実施形態に係る写真撮影装置１００は、例えば、図１に示すように、ボックス型に形成されており、その外壁にはプリントされた写真を取り出す取出口Ｄが設置されており、ボックス内部（以下、撮影室Ｒという）には、例えば、被撮影者としての顧客Ｍが座れるように椅子Ｃが鉛直方向を軸として回転可能に設置されている。なお、椅子Ｃは回転により昇降可能に構成されている。また、例えば、顧客Ｍの上方、正面、背面にはそれぞれ照明用のストロボ１１ａが設置されており、更に顧客Ｍの正面には、操作手順やその他撮影に関する操作画面，操作画像等を表示する表示部１３，各種の操作信号を入力するための操作部１６，顧客Ｍが撮影室Ｒに入室したことを検出する入室センサＳ，撮影料金を徴収・精算するためのコインメック１４等が設置されている。
【００２３】
図２に、写真撮影装置１００の内部構成を示す。
写真撮影装置１００は、例えば、図２に示すように、本体部１０，ストロボユニット１１，デジタルカメラ１２，表示部１３，コインメック１４，スピーカ１５，操作部１６，プリンタ１７，裁断ユニット１８，入室センサＳ等を備えて構成されている。
【００２４】
ストロボユニット１１は、例えば、後述するＣＰＵ２からの発光指示の制御信号に従って、撮影室Ｒ内の各部に設置されたストロボ１１ａの発光タイミングや発光量を制御するものであり、ストロボ１１ａはストロボユニット１１の制御に応じて発光を行う。
【００２５】
デジタルカメラ１２は、例えば、シャッター、光学レンズ、ＣＣＤ（Charge  Coupled  Device）等の撮像素子、Ａ／Ｄ変換部等を備えて構成され、光学レンズを介して入力される被写体像を撮像素子により光電変換して画像信号を生成する。そして、Ａ／Ｄ変換部によりアナログ画像信号からデジタル画像データを得て、当該デジタル画像データをＣＰＵ２に出力する。なお、デジタルカメラ１２に代えて動画を記録可能なデジタルビデオカメラが備えられてもよい。
【００２６】
表示部１３は、例えば、ＬＣＤ（Liquid  Crystal  Display）等を備えて構成され、ＣＰＵ２から入力される指示信号に従って操作画面を表示したり、撮影画像のプレ表示を行う。
【００２７】
コインメック１４は、例えば、硬貨や紙幣の入金口、釣銭返金口等を備えた金銭登録機であり、ＣＰＵ２により制御されて、入金口から入金された金額と規定の撮影料金とから釣銭金額を算出し、釣銭金額に応じた硬貨又は紙幣を釣銭返金口に排出する。
【００２８】
スピーカ１５は、例えば、入力される音データに基づいてガイドアナウンス音声等を出力する。
【００２９】
操作部１６は、例えば、表示部１３と一体的に構成されるタッチパネル、撮影室の内壁に設けられた選択ボタン、撮影ボタン等の各種機能ボタン等のハードキー、数字キーが配列されたテンキー等を備えて構成され、顧客Ｍにより操作されることにより各種の操作信号をＣＰＵ２に入力する。
例えば、操作部１６は、顧客Ｍにより操作されることにより、画像データを保存する指示信号をＣＰＵ２に入力し、第１指示手段として機能する。
また、操作部１６は、顧客Ｍにより操作されることにより、後述する画像データベース４Ａに記憶されている画像データに基づく画像を記録媒体にプリントする指示情報をＣＰＵ２に入力し、第２指示手段として機能する。
また、操作部１６は、顧客Ｍにより操作されることにより、顧客Ｍの所定の顧客情報をＣＰＵ２に入力し、入力手段として機能する。顧客Ｍの所定の顧客情報は、例えば、当該顧客Ｍの電話番号，郵便番号等の情報である。
また、操作部１６は、顧客Ｍにより操作されることにより、後述する識別番号をＣＰＵ２に入力し、識別番号入力手段として機能する。
【００３０】
プリンタ１７は、例えば、ＣＰＵ２から入力される画像データに基づく画像を記録媒体上にプリントし、プリント手段として機能する。
プリンタ１７のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶融転写記録法式を適用することとしてもよいし、電子写真方式、インクジェット方式やその他のプリント方式であってもよい。また、銀塩写真像を形成するものであってもよい。
【００３１】
裁断ユニット１８は、ＣＰＵ２から入力される裁断画像に基づいて、プリンタ１７から出力された写真に対して裁断処理を行う。裁断処理としては、裁断処理が選択された写真に対して、設定されたプリントサイズにプリントされた写真の輪郭線上に非切断部と切断部とが連続してプリント用紙の厚さ方向を切断するものである。
【００３２】
入室センサＳは、顧客Ｍが撮影室Ｒに入室したことを検出するものであり、顧客Ｍの入室を検出するとその検出信号をＣＰＵ２に出力する。入室センサＳとしては、発光器と受光器とからなる光学式センサ等が適用可能である。
【００３３】
本体部１０は、例えば、Ｉ／Ｏコントロール１，ＣＰＵ（Central  Processing  Unit）２，ＲＡＭ（Random  Access  Memory）３，記憶部４，Ｉ／Ｆ５等を備えて構成され、Ｉ／Ｏコントロール１を介してストロボユニット１１，コインメック１４，スピーカ１５，操作部１６，裁断ユニット１８に接続されるとともに、Ｉ／Ｆ５を介してプリンタ１７に接続されている。
【００３４】
Ｉ／Ｏコントロール１は、例えば、本体部１０と、ストロボユニット１１、コインメック１４、操作部１６、裁断ユニット１８との間で情報のやり取りを仲介するインターフェイスであり、ＣＰＵ２からの制御信号をストロボユニット１１、コインメック１４、裁断ユニット１８に送信するとともに操作部１６からの操作信号をＣＰＵ２に送信する。
【００３５】
ＣＰＵ２は、例えば、記憶部４に格納された処理プログラム等を読み出して、ＲＡＭ３に展開して実行することにより、写真撮影装置１００全体の制御を行う。
【００３６】
ＲＡＭ３は、例えば、ＣＰＵ２により実行された処理プログラム等を、ＲＡＭ３内のプログラム格納領域に展開するとともに、入力データや上記処理プログラムが実行される際に生じる処理結果等をデータ格納領域に格納する。
【００３７】
記憶部４は、例えば、プログラムやデータ等が予め記憶されている記録媒体（図示せず）を有しており、この記録媒体は、例えば、半導体メモリ等で構成されている。また、記憶部４は、ＣＰＵ２が写真撮影装置１００全体を制御する機能を実現させるための各種データ，各種処理プログラム，これらプログラムの実行により処理されたデータ等を記憶する。より具体的には、記憶部４は、例えば、図３に示すように、画像データベース４Ａ，撮影プリントプログラム４Ｂ，保存確認プログラム４Ｃ，生体情報取得プログラム４Ｄ，識別情報生成プログラム４Ｅ，保存プログラム４Ｆ，認証用生体情報取得プログラム４Ｇ,検索プログラム４Ｈ，焼き増しプリントプログラム４Ｉ等を格納している。
【００３８】
画像データベース４Ａは、例えば、画像データと識別情報と顧客情報とを対応付けて記憶している。識別情報は、画像データを識別するための情報であり、例えば、顧客の画像データの顔画像データから取得された生体情報と、識別番号とを有している。また、顧客情報は、顧客Ｍの電話番号，郵便番号等の情報である。これにより、画像データベース４Ａは、記憶手段として機能する。
【００３９】
撮影プリントプログラム４Ｂは、例えば、ＣＰＵ２に、操作部１６から撮影指示の操作信号が入力された場合に、ストロボユニット１１及びデジタルカメラ１２を制御して撮影を行い、撮影により得られた画像データをプリンタ１７に出力し、当該画像データに基づく画像を記録媒体にプリントさせる機能を実現させるプログラムである。
【００４０】
保存確認プログラム４Ｃは、例えば、ＣＰＵ２に、操作部１６から画像データを保存する指示信号が入力されたか否かを判断することにより、当該画像データを画像データベース４Ａに記憶するか否かを判断する機能を実現させるプログラムである。
【００４１】
生体情報取得プログラム４Ｄは、例えば、ＣＰＵ２に、保存確認プログラム４Ｃを実行することにより、画像データを画像データベース４Ａに記憶すると判断した場合に、当該画像データに含まれる顔画像データにおける目，鼻，口等の所定の特徴点を解析して、生体情報を取得する機能を実現させるプログラムである。ＣＰＵ２は、かかる生体情報取得プログラム４Ｄを実行することにより、生体情報取得手段として機能する。
【００４２】
識別情報生成プログラム４Ｅは、例えば、ＣＰＵ２に、保存確認プログラム４Ｃを実行することにより、画像データを画像データベース４Ａに記憶すると判断した場合に、生体情報取得プログラム４Ｄを実行して取得した生体情報を用いて当該画像データを識別するための識別情報を生成するとともに、当該画像データを識別するための識別情報としての識別番号を生成し、当該識別番号を表示部１３に表示させ、顧客Ｍに知らせる機能を実現させるプログラムである。識別番号は、例えば、当該画像データが撮影された日時や通し番号等を表す数字やアルファベット等から構成される番号である。ＣＰＵ２は、かかる識別情報生成プログラム４Ｅを実行することにより、識別情報生成手段として機能する。
【００４３】
保存プログラム４Ｆは、例えば、ＣＰＵ２に、画像データとＣＰＵ２が生体情報取得プログラム４Ｄを実行することにより取得した生体情報及びＣＰＵ２が識別情報生成プログラム４Ｅを実行することにより生成した識別番号を有する識別情報と操作部１６から入力された顧客情報とを関連づけて画像データベース４Ａに記憶させる機能を実現させるプログラムである。より具体的には、保存プログラム４Ｆは、ＣＰＵ２に、表示部１３を制御して、例えば、「顧客情報を入力してください」と表示させ、操作部１６から入力される顧客情報を取得し、画像データと生体情報及び識別番号を有する識別情報と顧客情報とを関連づけて画像データベース４Ａに記憶させる機能を実現させるプログラムである。ＣＰＵ２は、かかる保存プログラム４Ｆを実行することにより、記憶制御手段として機能する。
【００４４】
認証用生体情報取得プログラム４Ｇは、例えば、ＣＰＵ２に、操作部１６から画像データベース４Ａに記憶された画像データに基づく画像を記録媒体にプリントする指示信号が入力された場合に、表示部１３を制御して、例えば、「識別番号を入力してください」と表示させ、操作部１６から識別番号が入力されたか否かを判断し、操作部１６から識別番号が入力されたと判断した場合には、当該識別番号を取得し、操作部１６から識別番号が入力されなかったと判断した場合に、ストロボユニット１１及びデジタルカメラ１２を制御して顧客Ｍを撮影し、撮影により得られた撮影画像データにおける目,鼻,口等の所定の特徴点を解析して認証用生体情報を取得する機能を実現させるプログラムである。ＣＰＵ２は、かかる認証用生体情報取得プログラム４Ｇを実行することにより、認証用生体情報取得手段として機能する。
【００４５】
検索プログラム４Ｈは、例えば、ＣＰＵ２に、表示部１３を制御して、例えば、「顧客情報を入力してください」と表示させ、認証用生体情報取得プログラム４Ｇを実行することにより取得した識別番号又は認証用生体情報取得プログラム４Ｇを実行することにより取得した認証用生体情報と、操作部１６から入力された顧客情報とに基づいて画像データベース４Ａを検索し、当該識別情報及び顧客情報に対応する画像データを抽出する機能を実現させるプログラムである。
より具体的には、検索プログラム４Ｈは、例えば、ＣＰＵ２に、識別番号を取得している場合には、画像データベース４Ａから当該識別番号と顧客情報とに対応する画像データを検索し、識別番号を取得できず、認証用生体情報を取得している場合には、当該認証用生体情報と画像データベース４Ａに記憶された識別情報の中の生体情報とを照合して、画像データベース４Ａから一致した生体情報と顧客情報とに対応する画像データを検索する機能を実現させるプログラムである。
ＣＰＵ２は、かかる検索プログラム４Ｈを実行することにより、検索手段として機能する。
【００４６】
焼き増しプリントプログラム４Ｉは、例えば、ＣＰＵ２に、検索プログラム４Ｈを実行することにより検索した画像データに基づく画像をプリンタ１７により記録媒体にプリントさせる機能を実現させるプログラムである。ＣＰＵ２は、かかる焼き増しプリントプログラム４Ｉを実行することにより、記憶画像プリント制御手段として機能する。
【００４７】
Ｉ／Ｆ５は、例えば、本体部１０と、プリンタ１７との間で情報のやり取りを仲介するインターフェイスである。
【００４８】
次に、上述のような構成の第１の実施形態に係る写真撮影装置１００における画像データの保存動作の一例を図４に示すフローチャートを参照しながら説明する。
【００４９】
まず、ＣＰＵ２は撮影プリントプログラム４Ｂを実行することにより、ストロボユニット１１及びデジタルカメラ１２を制御して、顧客Ｍを撮影し、画像データを得る（ステップＳ１）。
【００５０】
次に、ＣＰＵ２は、撮影プリントプログラム４Ｂの実行に基づいて、ステップＳ１で得られた画像データを表示部１３に表示させ、プリントする画像は当該画像データに基づく画像でよいかどうかを、操作部１６からの操作信号から確認する（ステップＳ２）。
【００５１】
次に、ＣＰＵ２は、撮影プリントプログラム４Ｂの実行に基づいて、ステップＳ２で確認された画像データに基づく画像を記録媒体にプリントさせる（ステップＳ３）。
【００５２】
次に、ＣＰＵ２は、保存確認プログラム４Ｃを実行することにより、操作部１６から当該画像データを保存する指示信号が入力されたか否かを判断することにより、当該画像データを画像データベース４Ａに記憶するのか否かを判断する（ステップＳ４）。
【００５３】
ステップＳ４において、ＣＰＵ２が、画像データを画像データベース４Ａに記憶しないと判断した場合には（ステップＳ４；Ｎｏ）、本処理を終了する。
ステップＳ４において、ＣＰＵ２が、画像データを画像データベース４Ａに記憶すると判断した場合には（ステップＳ４；Ｙｅｓ）、ＣＰＵ２は、生体情報取得プログラム４Ｄを実行することにより、当該画像データに含まれる顔画像データの特徴点を解析して生体情報を取得する（ステップＳ５）。
【００５４】
次に、ＣＰＵ２は、識別情報生成プログラム４Ｅを実行することにより、ステップＳ５において取得した生体情報を用いて当該画像データを識別するための識別情報を生成するとともに、当該画像データを識別するための識別情報としての識別番号を生成し、当該識別番号を表示部１３に表示させ、顧客Ｍに知らせる（ステップＳ６）。
【００５５】
次に、ＣＰＵ２は、保存プログラム４Ｆを実行することにより、表示部１３を制御して、例えば、「顧客情報を入力してください」と表示させ、操作部１６から入力される顧客情報を取得する（ステップＳ７）。
【００５６】
次に、ＣＰＵ２は、保存プログラム４Ｆの実行に基づいて、画像データと生体情報及び識別番号を有する識別情報と顧客情報とを関連づけて画像データベース４Ａに記憶させ（ステップＳ８）、本処理を終了する。
【００５７】
次に、第１の実施形態に係る写真撮影装置１００における画像データベース４Ａに記憶されている画像データのプリント動作の一例を図５に示すフローチャートを参照しながら説明する。
【００５８】
まず、操作部１６から画像データベース４Ａに記憶されている画像データに基づく画像を記録媒体にプリント（焼き増し）する指示信号が入力されると（ステップＳ１０１）、ＣＰＵ２は、認証用生体情報取得プログラム４Ｇを実行することにより、表示部１３を制御して、例えば、「識別番号を入力してください」と表示させ、操作部１６から識別番号が入力されたか否かを判断する（ステップＳ１０２）。
【００５９】
ステップＳ１０２において、ＣＰＵ２が、操作部１６から識別番号が入力されたと判断した場合には（ステップＳ１０２；Ｙｅｓ）、操作部１６から入力された識別番号を取得し、ステップＳ１０５に進む。
ステップＳ１０２において、ＣＰＵ２が、操作部１６から識別番号が入力されなかったと判断した場合には（ステップＳ１０２；Ｎｏ）、ＣＰＵ２は、認証用生体情報取得プログラム４Ｇの実行に基づいて、ストロボユニット１１及びデジタルカメラ１２を制御して顧客Ｍを撮影し（ステップＳ１０３）、撮影により得られた撮影画像データから識別情報としての生体情報を生成する（ステップＳ１０４）。
【００６０】
次に、ＣＰＵ２は、検索プログラム４Ｈを実行することにより、表示部１３に、例えば、「顧客情報を入力してください」と表示させ、操作部１６から入力される顧客情報を取得する（ステップＳ１０５）。
【００６１】
次に、ＣＰＵ２は、検索プログラム４Ｈの実行に基づいて、ステップＳ１０２において識別番号を取得している場合には、画像データベース４Ａから当該識別番号と顧客情報とに対応する画像データを検索し、ステップＳ１０２において識別番号を取得できず、ステップＳ１０４において認証用生体情報を取得している場合には、当該認証用生体情報と画像データベース４Ａに記憶された識別情報の中の生体情報とを照合して、画像データベース４Ａから一致した生体情報と顧客情報とに対応する画像データを検索し（ステップＳ１０６）、検索した画像データに基づく画像をプリンタ１７により記録媒体にプリントさせ（Ｓ１０７）、本処理を終了する。
【００６２】
以上に説明した、第１の実施形態に係る写真撮影装置１００によれば、操作部１６により、画像データを保存する指示が入力され、ＣＰＵ２が生体情報取得プログラム４Ｄを実行することにより、操作部１６によって画像データを保存する指示が入力された場合に、画像データに含まれる顔画像データにおける所定の特徴点が解析されて生体情報が取得され、ＣＰＵ２が識別情報生成プログラム４Ｅを実行することにより、当該生体情報を用いて、画像データを識別するための識別情報が生成され、ＣＰＵ２が保存プログラム４Ｆを実行することにより、識別情報と画像データとが関連づけられて画像データベース４Ａに記憶され、操作部１６により、画像データベース４Ａに記憶された画像データに基づく画像を記録媒体にプリントする指示が入力され、ＣＰＵ２が認証用生体情報取得プログラム４Ｇを実行することにより、操作部１６によって画像データベース４Ａに記憶された画像データに基づく画像を記録媒体にプリントする指示が入力された場合に、顧客の顔が撮影され、撮影により得られた撮影画像データにおける所定の特徴点が解析されて認証用生体情報が取得され、ＣＰＵ２が検索プログラム４Ｈを実行することにより、認証用生体情報と、画像データベース４Ａに記憶された識別情報の中の生体情報とが照合されて、一致した生体情報に対応する画像データが検索され、ＣＰＵ２が焼き増しプリントプログラム４Ｉを実行することにより、検索された画像データに基づく画像をプリンタ１７により記録媒体にプリントさせるので、画像データを識別するための識別情報が当該画像データの顧客の顔画像データから取得された生体情報を用いて生成され、焼き増し時には、顧客の顔の撮影により得られた撮影画像データから取得された認証用生体情報と識別情報の中の生体情報とを照合するだけで当該画像データを検索することができることとなって、顧客が識別情報を記憶又は保持しなくても保存した画像データに基づく画像を焼き増しプリントすることができ、より確実に焼き増しプリントをすることができる。
また、顧客の画像データの顔画像データから顧客の生体情報を取得するので、新たに指紋等を取得する装置等を備えずとも、顧客の生体情報を取得することができ、コストを抑えることができる。
【００６３】
また、操作部１６により、顧客の所定の顧客情報が入力され、ＣＰＵ２は、保存プログラム４Ｆを実行することにより、識別情報と操作部１６により入力された顧客情報と画像データとを関連づけて画像データベース４Ａに記憶させるので、認証用生体情報と識別情報の中の生体情報との照合により、複数の画像データが検索されてしまっても、所定の顧客情報により画像データを最終的に特定することができ、さらに確実に焼き増しプリントをすることができる。
【００６４】
また、識別情報は、生体情報とＣＰＵ２が識別情報生成プログラム４Ｅを実行することにより生成した識別番号とを有し、操作部１６により識別番号が入力され、ＣＰＵ２は、認証用生体情報取得プログラム４Ｇを、操作部１６により識別番号が入力されなかった場合に実行するので、顧客が識別番号を記憶又は保持している場合には、認識用生体情報の取得が行われずに画像データが検索されるので、より迅速に画像データの検索ができることとなって、より迅速に焼き増しプリントをすることができる。
【００６５】
（第２の実施形態）
第２の実施形態に係る写真撮影システム２００は、例えば、図６に示すように、サーバ４００と、当該サーバ４００と通信回線としてのネットワークＮを介して接続される写真撮影装置３００と、を備えて構成される。
【００６６】
第２の実施形態に係る写真撮影装置３００は、例えば、図６に示すように、通信部１９,操作部２０,記憶部４０の構成が、第１の実施形態に係る写真撮影装置１００と異なるので、同一の構成については同一の符号を付すとともに、その説明を省略する。
【００６７】
通信部１９は、例えば、ネットワークインターフェイスカード、モデム等の通信用インターフェイスから構成され、通信ネットワークＮ上の外部機器と相互に情報の送受信を行う。例えば、他の写真撮影装置３００に画像データを転送してプリントさせたり、サーバ４００から各種データや各種プログラムを受信して更新したりする。
【００６８】
操作部２０は、例えば、表示部１３と一体的に構成されるタッチパネル、撮影室の内壁に設けられた選択ボタン、撮影ボタン等の各種機能ボタン等のハードキー、数字キーが配列されたテンキー等を備えて構成され、顧客Ｍにより操作されることにより各種の操作信号をＣＰＵ２に入力する。
例えば、操作部２０は、顧客Ｍにより操作されることにより、画像データを保存する指示信号をＣＰＵ２に入力し、第１指示手段として機能する。
また、操作部２０は、顧客Ｍにより操作されることにより、サーバ４００に送信され、サーバ４００の後述する画像データベース４０４Ａに記憶されている画像データに基づく画像を記録媒体にプリントする指示情報をＣＰＵ２に入力し、指示手段として機能する。
また、操作部２０は、顧客Ｍにより操作されることにより、顧客Ｍの所定の顧客情報をＣＰＵ２に入力し、入力手段として機能する。顧客Ｍの所定の顧客情報は、例えば、当該顧客Ｍの電話番号，郵便番号等の情報である。
また、操作部２０は、顧客Ｍにより操作されることにより、後述する識別番号をＣＰＵ２に入力し、識別番号入力手段として機能する。
【００６９】
記憶部４０は、例えば、プログラムやデータ等が予め記憶されている記録媒体（図示せず）を有しており、この記録媒体は、例えば、半導体メモリ等で構成されている。また、記憶部４０は、ＣＰＵ２が写真撮影装置３００全体を制御する機能を実現させるための各種データ，各種処理プログラム，これらプログラムの実行により処理されたデータ等を記憶する。より具体的には、記憶部４０は、例えば、図７に示すように、撮影プリントプログラム４Ｂ，保存確認プログラム４Ｃ，生体情報取得プログラム４Ｄ，識別情報生成プログラム４Ｅ，第１送信プログラム４０Ａ，認証用生体情報取得プログラム４Ｇ，第２送信プログラム４０Ｂ，焼き増しプリントプログラム４０Ｃ等を格納している。
【００７０】
第１送信プログラム４０Ａは、例えば、ＣＰＵ２に、通信部１９を制御して、画像データとＣＰＵ２が生体情報取得プログラム４Ｄを実行することにより生成した生体情報及びＣＰＵ２が識別情報生成プログラム４Ｅを実行することにより生成した識別番号を有する識別情報と操作部２０から入力された顧客情報とをサーバ４００に送信させる機能を実現させるプログラムである。より具体的には、第１送信プログラム４０Ａは、ＣＰＵ２に、表示部１３を制御して、例えば、「顧客情報を入力してください」と表示させ、操作部２０から入力される顧客情報を取得し、通信部１９を制御して、画像データと生体情報及び識別番号を有する識別情報と顧客情報とをサーバ４００に送信させる機能を実現させるプログラムである。ＣＰＵ２は、かかる第１送信プログラム４０Ａを実行することにより、第１送信手段として機能する。
【００７１】
第２送信プログラム４０Ｂは、例えば、ＣＰＵ２に、表示部１３を制御して、例えば、「顧客情報を入力してください」と表示させ、操作部２０から入力される顧客情報を取得するとともに、通信部１９を制御して、認証用生体情報取得プログラム４Ｇを実行することにより取得した識別番号又は認証用生体情報取得プログラム４Ｇを実行することにより取得した認証用生体情報と、操作部１６から入力された顧客情報とをサーバ４００に送信する機能を実現させるプログラムである。ＣＰＵ２は、かかる第２送信プログラム４０Ｂを実行することにより、第２送信手段として機能する。
【００７２】
焼き増しプリントプログラム４０Ｃは、例えば、ＣＰＵ２に、サーバ４００から送信された画像データに基づく画像をプリンタ１７により記録媒体にプリントさせる機能を実現させるプログラムである。ＣＰＵ２は、かかる焼き増しプリントプログラム４０Ｃを実行することにより、受信画像プリント制御手段として機能する。
【００７３】
サーバ４００は、例えば、図８に示すように、通信部４０１，ＣＰＵ４０２，ＲＡＭ４０３，記憶部４０４等を備えて構成されている。
【００７４】
通信部４０１は、例えば、ネットワークインターフェイスカード、モデム等の通信用インターフェイスから構成され、通信ネットワークＮ上の外部機器と相互に情報の送受信を行う。例えば、写真撮影装置３００に画像データを送信してプリントさせたり、写真撮影装置３００から各種のデータを受信したりする。
【００７５】
ＣＰＵ４０２は、例えば、記憶部４０４に格納された処理プログラム等を読み出して、ＲＡＭ４０３に展開して実行することにより、サーバ４００全体の制御を行う。
【００７６】
ＲＡＭ４０３は、例えば、ＣＰＵ４０２により実行された処理プログラム等を、ＲＡＭ４０３内のプログラム格納領域に展開するとともに、入力データや上記処理プログラムが実行される際に生じる処理結果等をデータ格納領域に格納する。
【００７７】
記憶部４０４は、例えば、プログラムやデータ等が予め記憶されている記録媒体（図示せず）を有しており、この記録媒体は、例えば、半導体メモリ等で構成されている。また、記憶部４０４は、ＣＰＵ４０２がサーバ４００全体を制御する機能を実現させるための各種データ，各種処理プログラム，これらプログラムの実行により処理されたデータ等を記憶する。より具体的には、記憶部４０４は、例えば、図８に示すように、画像データベース４０４Ａ，保存プログラム４０４Ｂ，検索プログラム４０４Ｃ，第３送信プログラム４０４Ｄ等を格納している。
【００７８】
画像データベース４０４Ａは、例えば、写真撮影装置３００から送信された画像データと生体情報及び識別番号を有する識別情報と顧客情報とを対応づけて記憶している。これにより、画像データベース４０４Ａは、記憶手段として機能する。
【００７９】
保存プログラム４０４Ｂは、例えば、ＣＰＵ４０２に、写真撮影装置３００から画像データと生体情報及び識別番号を有する識別情報と顧客情報とを受信した場合に、当該画像データと生体情報及び識別番号を有する識別情報と顧客情報とを関連づけて、画像データベース４０４Ａに記憶させる機能を実現させるプログラムである。ＣＰＵ４０２は、かかる保存プログラム４０４Ｂを実行することにより、記憶制御手段として機能する。
【００８０】
検索プログラム４０４Ｃは、例えば、ＣＰＵ４０２に、写真撮影装置３００から生体情報又は識別番号と顧客情報とを受信した場合に、当該生体情報又は識別番号と顧客情報とに対応する画像データを画像データベース４０４Ａから検索する機能を実現させるプログラムである。
より具体的には、検索プログラム４０４Ｃは、例えば、ＣＰＵ４０２に、写真撮影装置３００から識別番号と顧客情報とを受信した場合には、画像データベース４０４Ａから当該識別番号と顧客情報とに対応する画像データを検索し、写真撮影装置３００から認証用生体情報と顧客情報とを受信した場合には、当該認証用生体情報と画像データベース４０４Ａに記憶された識別情報の中の生体情報とを照合して、画像データベース４０４Ａから一致した生体情報と顧客情報とに対応する画像データを検索する機能を実現させるプログラムである。
ＣＰＵ４０２は、かかる検索プログラム４０４Ｃを実行することにより、検索手段として機能する。
【００８１】
第３送信プログラム４０４Ｄは、例えば、ＣＰＵ４０２に、通信部４０１を制御して、検索プログラム４０４Ｃを実行することにより検索した画像データを写真撮影装置３００に送信させる機能を実現させるプログラムである。ＣＰＵ４０２は、かかる第３送信プログラム４０４Ｄを実行することにより、第３送信制御手段として機能する。
【００８２】
次に、上述のような構成の第２の実施形態に係る写真撮影システム２００における画像データの保存動作の一例を図９に示すフローチャートを参照しながら説明する。
【００８３】
まず、写真撮影装置３００において、ＣＰＵ２は撮影プリントプログラム４Ｂを実行することにより、ストロボユニット１１及びデジタルカメラ１２を制御して、顧客Ｍを撮影し、画像データを得る（ステップＳ２０１）。
【００８４】
次に、ＣＰＵ２は、撮影プリントプログラム４Ｂの実行に基づいて、ステップＳ１で得られた画像データを表示部１３に表示させ、プリントする画像は当該画像データに基づく画像でよいかどうかを、操作部２０からの操作信号から確認する（ステップＳ２０２）。
【００８５】
次に、ＣＰＵ２は、撮影プリントプログラム４Ｂの実行に基づいて、ステップＳ２で確認された画像データに基づく画像を記録媒体にプリントさせる（ステップＳ２０３）。
【００８６】
次に、ＣＰＵ２は、保存確認プログラム４Ｃを実行することにより、操作部２０から当該画像データを保存する指示信号が入力されたか否かを判断することにより、当該画像データを画像データベース４０４Ａに記憶するのか否かを判断する（ステップＳ２０４）。
【００８７】
ステップＳ２０４において、ＣＰＵ２が、画像データを画像データベース４０４Ａに記憶しないと判断した場合には（ステップＳ２０４；Ｎｏ）、本処理を終了する。
ステップＳ２０４において、ＣＰＵ２が、画像データを画像データベース４０４Ａに記憶すると判断した場合には（ステップＳ２０４；Ｙｅｓ）、ＣＰＵ２は、生体情報取得プログラム４Ｄを実行することにより、当該画像データに含まれる顔画像データの特徴点を解析して生体情報を取得する（ステップＳ２０５）。
【００８８】
次に、ＣＰＵ２は、識別情報生成プログラム４Ｅを実行することにより、ステップＳ２０５において取得した生体情報を用いて当該画像データを識別するための識別情報を生成するとともに、当該画像データを識別するための識別情報としての識別番号を生成し、当該識別番号を表示部１３に表示させ、顧客Ｍに知らせる（ステップＳ２０６）。
【００８９】
次に、ＣＰＵ２は、第１送信プログラム４０Ａを実行することにより、表示部１３を制御して、例えば、「顧客情報を入力してください」と表示させ、操作部２０から入力される顧客情報を取得する（ステップＳ２０７）。
【００９０】
次に、ＣＰＵ２は、第１送信プログラム４０Ａの実行に基づいて、通信部１９を制御して、画像データと生体情報及び識別番号を有する識別情報と顧客情報とをサーバ４００に送信させる（ステップＳ２０８）。
【００９１】
次に、サーバ４００が、写真撮影装置３００から、画像データと生体情報及び識別番号を有する識別情報と顧客情報とを受信すると、ＣＰＵ４０２は、保存プログラム４０４Ｂを実行することにより、当該画像データと生体情報及び識別番号を有する識別情報と顧客情報とを関連づけて画像データベース４０４Ａに記憶させ（ステップＳ２０９）、本処理を終了する。
【００９２】
次に、第２の実施形態に係る写真撮影システム２００における画像データベース４０４Ａに記憶されている画像データのプリント動作の一例を図１０，図１１に示すフローチャートを参照しながら説明する。
【００９３】
まず、写真撮影装置３００において、操作部２０からサーバ４００の画像データベース４０４Ａに記憶されている画像データに基づく画像を記録媒体にプリント（焼き増し）する指示信号が入力されると（ステップＳ３０１）、ＣＰＵ２は、認証用生体情報取得プログラム４Ｇを実行することにより、表示部１３を制御して、例えば、「識別番号を入力してください」と表示させ、操作部２０から識別番号が入力されたか否かを判断する（ステップＳ３０２）。
【００９４】
ステップＳ３０２において、ＣＰＵ２が、操作部２０から識別番号が入力されたと判断した場合には（ステップＳ３０２；Ｙｅｓ）、操作部２０から入力された識別番号を取得し、ステップＳ３０５に進む。
ステップＳ３０２において、ＣＰＵ２が、操作部２０から識別番号が入力されなかったと判断した場合には（ステップＳ３０２；Ｎｏ）、ＣＰＵ２は、認証用生体情報取得プログラム４Ｇの実行に基づいて、ストロボユニット１１及びデジタルカメラ１２を制御して顧客Ｍを撮影し（ステップＳ３０３）、撮影により得られた撮影画像データから識別情報としての生体情報を生成する（ステップＳ３０４）。
【００９５】
次に、ＣＰＵ２は、第２送信プログラム４０Ｂを実行することにより、表示部１３に、例えば、「顧客情報を入力してください」と表示させ、操作部２０から入力される顧客情報を取得する（ステップＳ３０５）。
【００９６】
次に、ＣＰＵ２は、第２送信プログラム４０Ｂの実行に基づいて、通信部１９を制御して、識別番号又は生体情報と顧客情報とをサーバ４００に送信させる（ステップＳ３０６）。
【００９７】
次に、サーバ４００が、写真撮影装置３００から送信された識別番号又は生体情報と顧客情報とを受信すると（ステップＳ３０７）、ＣＰＵ４０２は、検索プログラム４０４Ｃを実行することにより、写真撮影装置３００から識別番号と顧客情報とを受信した場合には、画像データベース４０４Ａから当該識別番号と顧客情報とに対応する画像データを検索し、写真撮影装置３００から認証用生体情報と顧客情報とを受信した場合には、当該認証用生体情報と画像データベース４０４Ａに記憶された識別情報の中の生体情報とを照合して、画像データベース４０４Ａから一致した生体情報と顧客情報とに対応する画像データを検索する（ステップＳ３０８）。
【００９８】
次に、ＣＰＵ４０２は、第３送信プログラム４０４Ｄを実行することにより、通信部４０１を制御して、ステップＳ３０８において検索した画像データを写真撮影装置３００に送信させる（ステップＳ３０９）。
【００９９】
次に、写真撮影装置３００が、サーバ４００から送信された画像データを受信すると（ステップＳ３１０）、ＣＰＵ２は、焼き増しプリントプログラム４０Ｃを実行することにより、当該画像データに基づく画像をプリンタ１７により記録媒体にプリントさせ（Ｓ３１１）、本処理を終了する。
【０１００】
以上に説明した、第２の実施形態に係る写真撮影システム２００によれば、写真撮影装置３００において、操作部２０により、画像データを保存する指示が入力され、ＣＰＵ２が生体情報取得プログラム４Ｄを実行することにより、操作部２０によって画像データを保存する指示が入力された場合に、画像データに含まれる顔画像データにおける所定の特徴点が解析されて生体情報が取得され、ＣＰＵ２が識別情報生成プログラム４Ｅを実行することにより、生体情報を用いて、画像データを識別するための識別情報が生成され、ＣＰＵ２が第１送信プログラム４０Ａを実行することにより、画像データと識別情報とがサーバ４００に送信され、操作部２０により、サーバ４００に送信された画像データに基づく画像を記録媒体にプリントする指示が入力され、ＣＰＵ２が認証用生体情報取得プログラム４Ｇを実行することにより、操作部２０によってサーバ４００に送信された画像データに基づく画像を記録媒体にプリントする指示が入力された場合に、顧客の顔が撮影され、撮影により得られた撮影画像データにおける所定の特徴点が解析されて認証用生体情報が取得され、ＣＰＵ２が第２送信プログラム４０Ｂを実行することにより、認証用生体情報がサーバ４００に送信され、ＣＰＵ２が焼き増しプリントプログラム４０Ｃを実行することにより、サーバ４００から送信された画像データに基づく画像をプリンタにより記録媒体にプリントさせ、サーバ４００において、ＣＰＵ４０２が保存プログラム４０４Ｂを実行することにより、写真撮影装置３００から送信された識別情報と画像データとが関連づけられて画像データベース４０４Ａに記憶され、ＣＰＵ４０２が検索プログラム４０４Ｃを実行することにより、写真撮影装置３００から送信された認証用生体情報と、画像データベース４０４Ａに記憶された識別情報の中の生体情報とが照合されて、一致した生体情報に対応する画像データが検索され、ＣＰＵ４０２が第３送信プログラム４０４Ｄを実行することにより、検索された画像データが写真撮影装置３００に送信されるので、画像データを識別するための識別情報が当該画像データの顧客の顔画像データから取得された生体情報を用いて生成され、焼き増し時には、顧客の顔の撮影により得られた撮影画像データから取得された認証用生体情報と識別情報の中の生体情報とを照合するだけで当該画像データを検索することができることとなって、顧客が識別情報を記憶又は保持しなくても保存した画像データに基づく画像を焼き増しプリントすることができ、より確実に焼き増しプリントをすることができる。
また、顧客の画像データの顔画像データから顧客の生体情報を取得するので、新たに指紋等を取得する装置等を備えずとも、顧客の生体情報を取得することができ、コストを抑えることができる。
【０１０１】
また、操作部２０により、顧客の所定の顧客情報が入力され、ＣＰＵ４０２は、保存プログラム４０４Ｂを実行することにより、識別情報と操作部２０により入力されて写真撮影装置３００から送信された顧客情報と画像データとを関連づけて画像データベース４０４Ａに記憶させるので、認証用生体情報と識別情報の中の生体情報との照合により、複数の画像データが検索されてしまっても、所定の顧客情報により画像データを最終的に特定することができ、さらに確実に焼き増しプリントをすることができる。
【０１０２】
また、識別情報は、生体情報とＣＰＵ２が識別情報生成プログラム４Ｅを実行することにより生成した識別番号とを有し、操作部２０により識別番号が入力され、ＣＰＵ２は、認証用生体情報取得プログラム４Ｇを、操作部２０により識別番号が入力されなかった場合に実行するので、顧客が識別番号を記憶又は保持している場合には、認識用生体情報の取得が行われずに画像データが検索されるので、より迅速に画像データの検索ができることとなって、より迅速に焼き増しプリントをすることができる。
【０１０３】
なお、本実施形態では、生体情報は、画像データに含まれる顔画像データの所定の特徴点を解析することにより取得されることとし、認証用生体情報は、顧客を撮影した撮影画像データの所定の特徴点を解析することにより取得されることとしたが、これに限定されるものではなく、生体情報及び認証用生体情報は、例えば、指紋や虹彩等を解析して得られる情報であってもよい。
【０１０４】
また、本実施形態では、識別情報は、生体情報と識別番号とを有することとしたが、生体情報だけであってもよい。
また、画像データベース４Ａ,４０４Ａには、画像データと、識別情報と、顧客情報とが対応付けられて記憶されることとしたが、画像データと識別情報のみとが対応付けられて記憶されていてもよい。
【図面の簡単な説明】
【０１０５】
【図１】本発明に係る写真撮影装置の概略構成図である。
【図２】本発明の第１の実施形態に係る写真撮影装置の内部構成を示すブロック図である。
【図３】本発明の第１の実施形態に係る写真撮影装置の記憶部の構成を示すブロック図である。
【図４】本発明の第１の実施形態に係る写真撮影装置の画像データの保存動作の一例を説明するためのフローチャートである。
【図５】本発明の第１の実施形態に係る写真撮影装置の画像データベースに記録されている画像データに基づく画像のプリント動作の一例を説明するためのフローチャートである。
【図６】本発明の第２の実施形態に係る写真撮影システムの構成を示すブロック図である。
【図７】本発明の第２の実施形態に係る写真撮影装置の記憶部の構成を示すブロック図である。
【図８】本発明の第２の実施形態に係るサーバの内部構成を示すブロック図である。
【図９】本発明の第２の実施形態に係る写真撮影システムの画像データの保存動作の一例を説明するためのフローチャートである。
【図１０】本発明の第２の実施形態に係る写真撮影システムの画像データベースに記録されている画像データに基づく画像のプリント動作の一例を説明するためのフローチャートである。
【図１１】本発明の第２の実施形態に係る写真撮影システムの画像データベースに記録されている画像データに基づく画像のプリント動作の一例を説明するためのフローチャートである。
【符号の説明】
【０１０６】
２  ＣＰＵ（生体情報取得手段,識別情報生成手段,記憶制御手段,認証用生体情報取得手段,検索手段,記憶画像プリント制御手段,第１送信手段,第２送信手段,受信画像プリント制御手段）
４０４  ＣＰＵ（記憶制御手段,検索手段,第３送信手段）
４,４０４  記憶部（記憶手段）
４Ａ,４０４Ａ  画像データベース（記憶手段）
４Ｄ  生体情報取得プログラム（生体情報取得手段）
４Ｅ  識別情報生成プログラム（識別情報生成手段）
４Ｆ,４０４Ｂ  保存プログラム（記憶制御手段）
４Ｇ  認証用生体情報取得プログラム（認証用生体情報取得手段）
４Ｈ,４０４Ｃ  検索プログラム（検索手段）
４Ｉ  焼き増しプログラム（記憶画像プリント制御手段）
４０Ａ  第１送信プログラム（第１送信手段）
４０Ｂ  第２送信プログラム（第２送信手段）
４０Ｃ  焼き増しプログラム（受信画像プリント制御手段）
４０４Ｄ  第３送信プログラム（第３送信手段）
１６,２０  操作部（指示手段,第１指示手段,第２指示手段,入力手段,識別番号入力手段）
１７  プリンタ（プリント手段）
１００,３００  写真撮影装置
２００  写真撮影システム
４００  サーバ
Ｎ  ネットワーク（通信回線）
【図１】
2007288416.tif 000003
【図２】
2007288416.tif 000004
【図３】
2007288416.tif 000005
【図４】
2007288416.tif 000006
【図５】
2007288416.tif 000007
【図６】
2007288416.tif 000008
【図７】
2007288416.tif 000009
【図８】
2007288416.tif 000010
【図９】
2007288416.tif 000011
【図１０】
2007288416.tif 000012
【図１１】
2007288416.tif 000013